(57)【要約】  超音波外科用器具は、円筒形のシャフトと、そのシャフトの遠位端又は自由端にあるブレードとを含み、ブレードは、接合部が介在することなくシャフトと一体であって連続している。シャフトは縦軸を有し、ブレードは、シャフトの軸に対して偏心して配置された近位端部を備えた扁平な又は平面的なブレード本体を含む。したがって、ブレード本体又は少なくともブレード本体の近位端部は、シャフトに対して偏心して配置される。ブレードは、その全体がシャフトの軸に対して傾斜しても、シャフトの軸に平行に延びてもよい。
2019515746.tif 000002
【特許請求の範囲】
【請求項１】
円筒形のシャフトと、該シャフトの自由端の遠位にあるブレードとを含み、前記ブレードは、接合部が介在することなく前記シャフトと一体であって連続している、超音波外科用器具。
【請求項２】
前記シャフトは縦軸を有し、前記ブレードは扁平な又は平面的なブレード本体を含み、該ブレード本体は、前記縦軸に対して偏心して配置された近位端を有する、請求項１に記載の外科用器具。
【請求項３】
前記ブレード本体は、前記縦軸に平行な平面内を延びる、請求項２に記載の外科用器具。
【請求項４】
前記シャフトは、前記ブレード本体の前記近位端に隣接する端面を有し、前記シャフトは、前記端面に出口を備えた流路又は孔を有する、請求項３に記載の外科用器具。
【請求項５】
前記ブレード本体は、前記縦軸に面した主側面を有し、前記ブレード本体は、前記主側面に前記流路又は孔と前記出口で連続する溝を備える、請求項４に記載の外科用器具。
【請求項６】
前記溝は、前記ブレード本体の遠位端まで延びる、請求項５に記載の外科用器具。
【請求項７】
前記ブレード本体は貫通スロット又は貫通穴を備え、前記溝は、前記出口から前記貫通スロット又は貫通穴の近位側まで延びる、請求項５に記載の外科用器具。
【請求項８】
前記ブレード本体は、前記シャフトとの反対側にある遠位端に、前記縦軸に対して傾いた傾斜面を備える、請求項３に記載の外科用器具。
【請求項９】
前記ブレード本体は、弓状の遠位先端を備える、請求項３に記載の外科用器具。
【請求項１０】
前記ブレード本体は、前記縦軸に対して角度をなして延び、前記ブレード本体は前記縦軸と交差する、請求項２に記載の外科用器具。
【請求項１１】
前記シャフトは、前記ブレード本体の前記近位端に隣接する端面を有し、前記シャフトは、前記端面に出口を備えた流路又は孔を有し、前記ブレード本体は、互いに反対方向を向いた平らな第１の主側面と平らな第２の主側面とを有し、前記ブレード本体は、前記第１の主側面に前記流路又は孔と前記出口で連続する溝を備え、前記ブレード本体は、前記端面及び前記出口との反対側にある前記溝の端部に貫通穴を更に備え、前記溝は前記出口から前記貫通穴まで延びる、請求項１０に記載の外科用器具。
【請求項１２】
前記第２の主側面には、前記貫通穴に繋がる追加の溝が形成される、請求項１１に記載の外科用器具。
【請求項１３】
前記追加の溝は、前記第２の主側面において前記貫通穴での幅広い端部から閉じた狭い端部へ次第に細くなる、請求項１２に記載の外科用器具。
【請求項１４】
前記第２の主側面は、前記貫通穴及び前記追加の溝によって形成された楕円形の中央の縁を有する環状の楕円形の面である、請求項１２に記載の外科用器具。
【請求項１５】
前記ブレード本体は、互いに反対方向を向いた平らな第１の主側面と平らな第２の主側面とを有し、前記第１の主側面は楕円形である、請求項１０に記載の外科用器具。
【請求項１６】
前記ブレード本体は、前記シャフトの円筒形の外面と連続する終端のない周面又は外周面を有し、前記周面又は外周面は前記シャフトの前記外面と同軸の円筒形の一部である、請求項１０に記載の外科用器具。
【請求項１７】
前記ブレード本体は、前記シャフト部分の円筒形の外面と連続する同軸の円筒形の一部である少なくとも１つの端面を有する、請求項１０に記載の外科用器具。
【請求項１８】
シャフト部分と、該シャフトの自由端の遠位にあるブレード部分とを有し、該ブレードは接合部が介在することなく前記シャフトと一体であって連続している一体の超音波外科用器具の製造方法であって、該方法は、一端での拡大されたコネクタ部分と反対端での円筒形のシャフトとを含む未完成の道具を提供することと、前記シャフトの遠位端部の反対向きの両側面を機械加工して、前記円筒形のシャフトから前記シャフト部分を形成して、２つの反対向きの平面を作り出し、それにより平面的なシャフト延長部又は端部として前記ブレード部分を形成することを含む、方法。
【請求項１９】
前記シャフトの前記遠位端部の前記反対向きの両側面の機械加工は、前記シャフト部分の円筒形の外面と連続する同軸の円筒形の一部である少なくとも１つの端面を有するように前記ブレード部分を形成する、請求項１８に記載の方法。
【請求項２０】
前記円筒形のシャフトの前記遠位端部の機械加工は、少なくとも１つの前記平面と平行に延びる回転軸を中心に切削工具を回転させることを含む、請求項１８に記載の方法。
【請求項２１】
前記円筒形のシャフトの前記遠位端部の機械加工は、前記回転軸に平行な軸を有する円筒形の一部としての前記シャフト部分の端面と、前記少なくとも１つの前記平面とを形成することを含む、請求項１８に記載の方法。
【発明の詳細な説明】
【技術分野】
【０００１】
本発明は、超音波手術道具又は器具に関する。本発明はまた、その道具又は器具を製造する方法に関する。
【背景技術】
【０００２】
特許文献１は、特に骨組織を切断するための超音波外科用ブレードを開示しており、それは滑らかな連続した切断刃を有するブレード本体と、一端でブレード本体に接続され、反対端で超音波振動源に動作可能に接続可能なシャンクとを有する。シャンクは、冷却液を切断刃に輸送するための軸方向に延びる孔を備え、ブレード本体は、一端でその孔と繋がる軸方向に延びる貫通スロットを備える。ブレード本体は、好ましくは、上記スロットから切断刃に向かって流体を分散させるために、シャンクとの反対側の端部に孔と繋がる凹部を備える。凹部は、好ましくは切断刃の少なくとも一部と平行な形状を有する。例えば、切断刃が円形であり、ブレード本体が流体分散のガイド面と切断刃との間に平面を有する場合、凹部は、平らなブレード面に対して傾斜して円弧で広がる流体分散面を有する。
【０００３】
そのような骨切断器具の製造において、ブレード本体は別に作られ、その後に管状のシャフトの端に固定される。したがって、器具のシャフト又はホーンとブレードとの間に接合部が存在する。
【先行技術文献】
【特許文献】
【０００４】
【特許文献１】米国特許第６,３７９,３７１号明細書
【発明の概要】
【発明が解決しようとする課題】
【０００５】
本発明は、接合部が排除されなくても低減される、改善された超音波道具又は器具、特に骨切断ブレードを提供することを目的とする。本発明はまた、製造が容易であり、製造費が既存の器具よりも安い、そのような道具又は器具を提供することを目的とする。本発明はまた、超音波骨切断器具又は道具の製造方法を提供することを目的とする。
【課題を解決するための手段】
【０００６】
本発明の超音波外科用器具は、円筒形のシャフトと、そのシャフトの遠位端又は自由端にあるブレードとを含み、ブレードは、接合部が介在することなくシャフトと一体であって連続している。以下に記載されるように、この器具の製造は、未完成の道具の遠位端、特にそのシャフトの遠位端部を機械加工することを伴う。
【０００７】
外科用器具は、典型的には、ブレードとの反対側にあるシャフトの近位端に、半径方向又は横方向に拡大された近位端部を更に含む。拡大された近位端部は、器具のハンドピース内部に収容された圧電スタックのような電気機械変換装置に取り付けられるように構成される。
【０００８】
本発明の更なる特徴によれば、シャフトは縦軸を有し、ブレードは、そのシャフトの軸に対して偏心して配置された近位端部を備える扁平な又は平面的なブレード本体を含む。したがって、ブレード本体又は少なくともブレード本体の近位端部は、シャフトに対して偏心して配置される。
【０００９】
本発明の別の特徴によれば、ブレード本体は、シャフトの円筒形の外面と連続する同軸の円筒形の一部である少なくとも１つの縁又は周面を有する。
【００１０】
本発明の一実施形態では、ブレード本体は、シャフトの軸に平行な平面内を延びる。
【００１１】
シャフトは、ブレード本体の近位端に隣接する端面を有し、その端面に出口を備えた流路又は孔もまた有する。
【００１２】
本発明の別の態様によれば、ブレード本体はシャフトの軸に面した主側面を有する場合、ブレード本体はその主側面に、流路又は孔とその出口で連続する溝を備える。溝は、ブレード本体の長さに亘ってブレード本体の遠位端まで延びてもよい。あるいは、ブレードが貫通スロット又は貫通穴を備える場合、溝は、流路又は孔の出口から貫通スロット又は貫通穴の近位側まで延びる。
【００１３】
ブレード本体は、シャフトとの反対側にある遠位端に、シャフトの軸に対して傾いた傾斜面を備えてもよい。これに代えて又は加えて、ブレード本体は、弓状の遠位先端を備えて形成されてもよく、その場合に遠位先端は、シャフトの軸に対して垂直な方向の軸を備えた円形又は円筒形の面を有する。
【００１４】
本発明の第２の実施形態では、ブレード本体は、シャフトの軸に対して角度をなして延びて、その軸と交差する。シャフトが、ブレード本体の近位端に隣接する端面を有し、更にその端面に出口を備えた流路又は孔を有する場合、ブレード本体は、互いに反対方向を向いた平らな第１の主側面と平らな第２の主側面とを有する。
【００１５】
本発明の別の特徴によれば、ブレード本体は、第１の主側面に、流路又は孔とその出口で連続する溝を備える。ブレード本体は、上記端面及び出口との反対側にある溝の端部に貫通穴を更に備えてもよく、その溝は上記出口から貫通穴まで延びる。第２の主側面は、貫通穴に繋がる追加の溝が形成されてもよい。追加の溝は、好ましくは、第２の主側面において、貫通穴での幅広い端部から閉じた狭い端部へ次第に細くなる。第２の主側面は、貫通穴及び追加の溝によって形成された楕円形の中央の縁を有する環状の楕円形の面の形態であってもよい。
【００１６】
この第２の実施形態のブレード本体は、シャフトの円筒形の外面と連続する終端のない周面又は外周面を有し、その周面又は外周面はシャフトの外面と同軸の円筒形の一部であってもよい。
【００１７】
本発明はまた、シャフト部分と、シャフトの自由端の遠位にあるブレード部分とを有し、ブレードは接合部が介在することなくシャフトと一体であって連続している一体の超音波外科用器具の製造方法も対象とする。この方法は、一端での拡大されたコネクタ部分と反対端での円筒形のシャフトとを含む未完成の道具を提供することと、円筒形のシャフトの遠位端部の反対向きの両側面を機械加工して、円筒形のシャフトからシャフト部分を形成して、２つの反対向きの平面を作り出すこととを含む。両平面の形成は、シャフト部分の円筒形の外面と連続する同軸の円筒形の一部である少なくとも１つの端面を有する平面的なシャフト延長部又は端部としてブレード部分を実現し得る。
【００１８】
円筒形のシャフトの遠位端部の機械加工は、好ましくは、少なくとも１つのその平面と平行に延びる回転軸を中心に切削工具を回転させることを含む。
【００１９】
円筒形のシャフトの遠位端部の機械加工は、典型的には、その回転軸に平行な軸を有する円筒形の一部としてのシャフト部分の端面と、一方又は両方の平面とを形成することを含む。
【発明の効果】
【００２０】
本発明は、より容易に製造されかつより厳密な又はより一貫した仕様を有することができる超音波器具、特に切除又は骨切断器具を提供する。したがって、品質管理が容易になる。
【図面の簡単な説明】
【００２１】
【図１】本発明の超音波外科用器具又はプローブの等角図である。
【図２】図１の器具又はプローブの遠位端部のより大きな縮尺での等角図である。
【図３】図２の遠位端部の側面図である。
【図４】図２及び３の遠位端部の平面図である。
【図５】図２〜４の遠位端部の底面図である。
【図６】本発明での図１〜５の器具又はプローブの製造方法における、上側及び下側の切削工具経路の２つの包絡線を概略的に示す、管状の未完成の道具の縦断面図である。
【図７】本発明の別の超音波外科用器具又はプローブの遠位端部の等角図である。
【図８】図７の遠位端部の側面図である。
【図９】本発明の更なる超音波外科用器具又はプローブの遠位端部の等角図である。
【図１０】図９の遠位端部の側面図である。
【図１１】本発明の更なる超音波外科用器具又はプローブの遠位端部の等角図である。
【図１２】図１１の遠位端部の側面図である。
【図１３】本発明の更に別の超音波外科用器具又はプローブの遠位端部の等角図である。
【図１４】図１３の遠位端部の側面図である。
【図１５】本発明の更に別の超音波外科用器具又はプローブの遠位端部の等角図である。
【図１６】図１５の遠位端部の側面図である。
【発明を実施するための形態】
【００２２】
図面に示される超音波外科用器具の実施形態はそれぞれ、円筒形のシャフトと、シャフトの自由端の遠位にあるブレードとを含み、ブレードは、接合部が介在することなくシャフトと一体であって連続している。これらの器具の製造は、未完成の道具の遠位端部、特にその管状のシャフトの遠位端部を機械加工することを伴う。
【００２３】
図１に示されるように、外科用器具２０は、円筒形のシャフト２２と、そのシャフトの遠位端又は自由端にあるブレード２４とを含み、ブレードは、接合部が介在することなくシャフトと一体であって連続している。器具２０（及び本明細書に開示されるすべての器具）は、典型的には、ブレード２４との反対側にあるシャフト２２の近位端に、半径方向又は横方向に拡大された近位端部２６を更に含む。近位端部２６は、器具のハンドピース（図示せず）内部に収容された圧電スタックのような電気機械変換装置（図示せず）に取り付けられるように構成される。
【００２４】
シャフト２２は縦軸２８を有し、ブレード２４は、シャフトの軸２８に対して偏心して配置された近位端部３２を備えた扁平な又は平面的なブレード本体３０を含む。したがって、ブレード本体３０又は少なくともブレード本体３０の近位端部は、シャフト２８に対して偏心して配置される。
【００２５】
本明細書で開示される超音波外科用器具の各実施形態において、ブレードは、シャフトの軸に対して偏心して配置された近位端を備えた扁平な又は平面的なブレード本体を含む。したがって、ブレード本体又は少なくともブレード本体の近位端部は、器具のシャフトに対して偏心して配置される。
【００２６】
図２〜４に示されるように、ブレード本体３０は、シャフト２２の円筒形の外面３６と連続する同軸の終端のない円筒形の一部又は周面である、少なくとも１つの縁又は周面３４を有する。
【００２７】
本明細書に開示された超音波外科用器具の各実施形態は、器具のシャフトでの円筒形の外面と連続する同軸の円筒形の一部の形態である、少なくとも１つの縁又は周面を備えたブレード本体を有する。
【００２８】
図６に示されるように、外科用器具２０を製造する方法は、一端での拡大されたコネクタ部分２６（図１）と、反対端での円筒形のシャフト４０とを含む未完成の道具３８を提供することと、円筒形のシャフトの遠位端部４２の反対向きの両側面（図面で特定されない）を機械加工して、未完成の道具３８の円筒形のシャフト４０から器具２０のシャフト部分２２（図１）を形成して、２つの反対向きの平面又は主ブレード面４４、４６を作り出すこととを含む。平面４４、４６の形成は、縁若しくは周面３４を有する平面的なシャフト延長部又は端部としてブレード部分２４（図１〜図５）を実現する。
【００２９】
図３に示されるように、ブレード本体３０は、シャフトの軸２８に対して角度ａ１で延びて、シャフトの軸と交差する。シャフト２２は、ブレード本体３０の近位端３２と連続する端面４８を有し、更に端面４８に出口５２を備えた流路又は孔５０を有する。平面４４、４６は、互いに反対方向を向く平らな第１の主側面と平らな第２の主側面である。
【００３０】
未完成の道具３８の遠位端部４２（図６）から平面４４、４６を切削するために回転切削工具（４９で概略的に示される）が使用されることが特に言及される。回転切削工具は、図６に示されるように、扁平な円の切削包絡線５４を示すようにして第１の直線経路５１（図６）に沿って動かされる円形又は円筒形の切削面（図面で別に特定されない）を有する。シャフトの端面４８は、同じ切削動作によって平面４４の近位端部の形成と同時に形成され、従って円筒形の一部の形態となる。当然ながら、端面４８を追加の工程で別に更に機械加工して、その端面を平面形状にしてもよい。
【００３１】
図６に示されるように、別の扁平な円の切削包絡線５６によって概略的に示されるように、同じ回転切削工具４９を使用して下側の平面４６を形成してもよい。
【００３２】
図２及び４に示されるように、ブレード２４は平面又は主側面４４に設けられ、水路又は孔５０と出口５２で連続する溝１５０を備える。ブレード２４は更に、端面４８及び出口５２との反対側にある溝１５０の端部に貫通穴１５２を備えるようにして形成される。溝１５０は、出口５２から貫通穴１５２まで延びる。図５に示されるように、平面又は主側面４６には、貫通穴１５２と繋がる追加の溝１５４が形成されている。溝１５４は、平面又は主側面４６において、貫通穴１５２での幅広い端部から閉じた狭い端部１５６へ次第に細くなる。平面４６は、貫通穴１５２及び溝１５４によって形成された楕円形の中央の縁１５８を有する環状の楕円形の面の形態である。
【００３３】
図７〜１６の各実施形態では、ブレードは、細長い直線的な器具のシャフトの軸に平行に、その軸の一つの側方で延びる。したがって、各ブレード本体は、シャフトに対して偏心した、すなわちシャフトの軸から離れた位置でシャフトの遠位端と一体となる近位端を必然的に有する。種々のブレードが、管状の棒の形である未完成の道具を、円形の刃又は円筒形の刃面を有する切削工具を用い、その切削工具をシャフトの軸に平行な経路に沿って移動させて機械加工することによって製造される。シャフトの遠位端面は、円形又は円筒形の切削工具により形成される円筒状に窪んだ面を有してもよい。または、図示のように平らであってもよく、その形状は更なる機械加工によって与えられ、例えば、シャフトの軸と角度をなす直線経路に沿って円形又は円筒形の切断面を動かすことによって与えられる。
【００３４】
図７及び８に示されるように、外科用器具６０は、円筒形のシャフト６２と、そのシャフトの遠位端又は自由端にあるブレード６４とを含み、ブレードは、接合部が介在することなくシャフトと一体であって連続している。器具６０は、ブレード６４との反対側にある又は器具ハンドピース（不図示）内に収容された圧電スタックのような電気機械変換装置（不図示）に結合するシャフト６２の近位端に、半径方向又は横方向に拡大された近位端部２６（図１）を更に含む。
【００３５】
ブレード６４は、器具のシャフト６２の軸６８に面した平らな上側の主面６６と、軸６８から離れる反対方向に面した平らな下側の主面７０とを有する。面６６、７０は、互いに及び軸６８に平行である。ブレード６４は、そのようにして軸６８から離れて配置され、上側の面６６に溝は形成されていない。シャフト６２の水路又は管腔７２は、面６６の近位端の上方に出口７４を有し、それにより圧力を受けて流路又は流路を通って流れる潅注液が面６６上に流れ出る。ブレード６４は、平面であってシャフトの軸６８に対して垂直方向に向けられた遠位端面７６を有する。ブレード６４は、シャフト６２の外面（図面で別に特定されない）と連続する同軸の円筒形の一部である一対の側部周縁面７８を有する。
【００３６】
図９及び１０に示されるように、外科用器具８０は、円筒形のシャフト８２と、そのシャフトの遠位端又は自由端にあるブレード８４とを含み、ブレードは、接合部が介在することなくシャフトと一体であって連続している。器具８０は、ブレード８４との反対側となる又は器具ハンドピース（不図示）内に収容された圧電スタックのような電気機械変換装置（不図示）に結合するシャフト８２の近位端に、半径方向又は横方向に拡大された近位端部２６（図１）を更に含む。
【００３７】
ブレード８４は、器具のシャフト８２の軸８８に面した平らな上側の主面８６と、軸８８から離れる反対方向に面した平らな下側の主面９０とを有する。面８６、９０は、互いに及び軸８８に平行である。ブレード８４は、そのようにして軸６８から離れて配置され、上側の面８６には細長い溝９１が形成される。溝９１は、シャフト８２の流路又は管腔９２の円筒形の面（別個に示されていない）と連続かつ同軸であり、流路又は管腔とその出口９４を介して繋がる。器具８０の使用中に、潅注液は圧力を受けて流路又は管腔９２を通って流れ、溝９１に流れ出て、そこから潅注液は面８６上に分散される。ブレード８４は傾斜した遠位端面９６を有し、それは平面であって直線状の末端縁９３及び丸められた角９５を備え、シャフトの軸８８に対して角度が付いた向きにされる。溝９１は、傾斜した遠位端面９６で終わる。ブレード８４は、シャフト８２の外面（図面で別に特定されない）と連続する同軸の円筒形の一部である一対の側部周縁面９８を有する。
【００３８】
図１１及び１２は、ブレード８４に貫通スロット１０２を備えること以外は器具８０と同一である外科用器具１００を示す。図１１及び１２での参照番号は、外科用器具８０での同様の特徴又は要素を示すものと同じである。スロット１０２は、溝９１内に、本質的にその長さに沿って中間に形成され、溝を近位の溝部分１０４と遠位の溝部分１０６とに分割する。溝１０２は、溝９１又は溝部分１０４から下面９０への潅注液の流れを促進する。
【００３９】
図１３及び１４に示されるように、外科用器具１１０は、円筒形のシャフト１１２と、そのシャフトの遠位端又は自由端にあるブレード１１４とを含み、ブレードは、接合部が介在することなくシャフトと一体であって連続している。器具１１０は、ブレード１１４との反対側となる又は器具ハンドピース（不図示）内に収容された圧電スタックのような電気機械変換装置（不図示）に結合するシャフト１１２の近位端に、半径方向又は横方向に拡大された近位端部２６（図１）を更に含む。
【００４０】
ブレード１１４は、器具のシャフト１１２の軸１１８に面した平らな上側の主面１１６と、軸１１８から離れる反対方向に面した平らな下側の主面１２０とを有する。面１１６、１２０は、互いに及び軸１１８に平行である。ブレード１１４は、そのようにして軸１１８から離れて配置され、上面１１６に短い溝部分１２１が形成され、その溝部分は、シャフト１１２の流路又は管腔１２２の円筒形の面（別個に示されていない）と連続かつ同軸であり、流路又は管腔とその出口１２４を介して繋がる。ブレード１１４はまた、シャフトの軸１１８に平行に延びる細長い貫通スロット１２６を備える。ブレード１１４は、貫通スロット１２６の遠位端に、一方の側のスロット１２６から反対側の円形の縁又は円筒状の端面１３０まで延びる遠位の溝部分１２８を有する。ブレード１１４は、シャフト１１２の外面（図面で別に特定されない）と連続する同軸の円筒形の一部である一対の側部周縁面１３２を有する。
【００４１】
器具１１０の使用中に、潅注液は圧力を受けて流路又は管腔１２２を通って近位の溝部分１２１に流れ、次にスロット１２６に流れ、そこから潅注液は両方の主ブレード面１１６、１２０、そして円形の縁又は円筒状の端面１３０に流れ得る。
【００４２】
図１５及び１６は、器具の遠位端が傾斜していること以外は器具１１０と同一である外科用器具１４０を示す。図１５及び１６での参照番号は、図１３及び１４での外科用器具１１０での同様の特徴又は要素を示すものと同じである。器具１４０は、傾斜した端面１４２を有する。遠位の溝部分１２８は、傾斜した端面１４２の形成によって切り取られ、スロット１２６からの斜面した端面１４２上での潅注液の分散を容易にするテーパーを備える。
【００４３】
本明細書に開示されたそれぞれの器具の実施形態において、器具のシャフト２２、６２、８２、１１２は、ブレード２５、６４、８４、１１４の近位端に隣接する端面４８、１４４、１４６、１４８を有し、またその端面に出口５２、７４、９４、１１４を有する流路又は孔５０、７２、９２、１２２を有することが明白である。ブレード２５、６４、８４、１１４は、流路又は孔５０、９２、１２２とその出口５２、９４、１１４で連続する溝９１、１０４、１２１を備えた主側面又は平面４４、８６、１１６に備えられることができる。溝９１は、ブレードの遠位端までブレードの長さに亘って延びることができる。あるいは、ブレード２４、８４、１１４に貫通スロット又は貫通穴１０２、１２６を備える場合、溝は、シャフトの流路又は孔９２、１１２の出口９４、１２４から貫通スロット又は貫通穴１０２、１２６の近位側まで延びる部分１０４、１２１を含む。ブレード８４、１４０は、シャフト８２、１１２との反対側にある遠位端に、軸８８、１４３に対して傾いた傾斜面９６、１４２を備えてもよい（図１６）。これに代えて又は加えて、ブレード２４、１１４は、弓状の遠位先端を備えて形成されてもよく、その場合に遠位先端は、シャフトの軸に対して垂直な方向の軸を備えた円形又は円筒形の面を有する。
【００４４】
図６を参照して上述したように、シャフト部分２２、６２、８２、１１２と、シャフトの自由端の遠位端にブレード部分２４、６４、８４、１１４とを有する一体の超音波外科用器具を製造する方法は、一端での拡大されたコネクタ部分２６と反対端での円筒形のシャフト４０とを含む未完成の道具３８を提供することと、円筒形のシャフトの遠位端部４２の反対向きの両側面を機械加工して、円筒形のシャフトからシャフト部分２２、６２、８２、１１２を形成して、２つの反対向きの平面４４、６６、８６、１１６及び４６、７０、９０、１２０を作り出すこととを含む。平面４４、６６、８６、１１６及び４６、７０、９０、１２０の形成は、平面的なシャフト延長部又は端部としてブレード部分２４、６４、８４、１１４を実現し、ブレード部分はシャフト部分２２、６２、８２、１１２の円筒形の外面と連続する同軸の円筒形の一部である少なくとも１つの端面３４、７８、９８、１３２を有することができる。未完成の道具３８の円筒形のシャフト４０の遠位端部４２の機械加工は、典型的には、少なくとも１つの平面４４、６６、８６、１１６と平行（図６の紙面に垂直）に延びる回転軸を中心に回転切削工具４９を回転させることを含む。未完成の道具３８での円筒形のシャフト４０の遠位端部４２は、例えばブレード部分２４、６４、８４、１１４をその自由端の幅を狭くして先細にするために、端面３４、７８、９８、１３２に沿って更に機械加工されてもよい。
【００４５】
円筒形のシャフト４０の遠位端部４２の機械加工は、典型的には、工具４９の回転軸に平行な軸を有する円筒形の一部（図示せず）としてのシャフト部分２２、６２、８２、１１２の端面４８、１４４、１４６、１４８と、平面４４、６６、８６、１１６及び４６、７０、９０、１２０の一方又は両方とを形成することを含む。シャフトの端面４８、１４４、１４６、１４８をシャフトの軸２８、６８、８８、１１８に対して傾いた平坦又は平らな面として形成するために、工具４９又は異なる工具での更なる機械加工がされることができる。
【符号の説明】
【００４６】
２０      外科用器具
２２      シャフト（シャフト部分）
２４      ブレード（ブレード部分）
２６      シャフトの近位端部（コネクタ部分）
２８      シャフトの軸
３０      ブレード本体
３２      ブレード本体の近位端部
３４      ブレード本体の周面
３６      シャフトの円筒形の外面
３８      未完成の道具
４０      未完成の道具のシャフト
４２      未完成の道具のシャフトの遠位端部
４４      平面又は主ブレード面
４６      平面又は主ブレード面
４８      シャフトの端面
４９      回転切削工具
５０      流路又は孔
５１      回転切削工具の直線経路
５２      流路又は孔の出口
５４      切削包絡線
５６      切削包絡線
６０      外科用器具
６２      シャフト
６４      ブレード
６６      上側の主面
６８      シャフトの軸
７０      下側の主面
７２      水路又は管腔
７４      流路又は孔の出口
７６      ブレードの遠位端面
７８      ブレードの側部周縁面
８０      外科用器具
８２      シャフト
８４      ブレード
８６      上側の主面
８８      シャフトの軸
９０      下側の主面
９１      溝
９２      水路又は管腔
９３      ブレードの末端縁
９４      流路又は孔の出口
９６      ブレードの遠位端面（傾斜面）
９８      ブレードの側部周縁面
１００    外科用器具
１０２    貫通スロット又は貫通穴
１０４    近位の溝部分
１０６    遠位の溝部分
１１０    外科用器具
１１２    シャフト
１１４    ブレード
１１６    上側の主面（上面）
１１８    シャフトの軸
１２０    下側の主面
１２１    短い溝部分
１２２    流路又は孔
１２４    流路又は孔の出口
１２６    貫通スロット又は貫通穴
１２８    遠位の溝部分
１３０    円形の縁又は円筒状の端面
１３２    側部周縁面
１４０    外科用器具
１４２    傾斜した端面（傾斜面）
１４３    シャフトの軸
１４４    シャフトの端面
１４６    シャフトの端面
１４８    シャフトの端面
１５０    溝
１５２    貫通穴
１５４    溝
１５８    中央の縁
ａ１      シャフトの軸に対する角度
【図１】
2019515746.tif 000003
【図２】
2019515746.tif 000004
【図３】
2019515746.tif 000005
【図４】
2019515746.tif 000006
【図５】
2019515746.tif 000007
【図６】
2019515746.tif 000008
【図７】
2019515746.tif 000009
【図８】
2019515746.tif 000010
【図９】
2019515746.tif 000011
【図１０】
2019515746.tif 000012
【図１１】
2019515746.tif 000013
【図１２】
2019515746.tif 000014
【図１３】
2019515746.tif 000015
【図１４】
2019515746.tif 000016
【図１５】
2019515746.tif 000017
【図１６】
2019515746.tif 000018
【国際調査報告】
2019515746.tif 000019